(57)【要約】【課題】４６億光年。人間は会った人間しか会話できなかった。      超能力は非現実的だった。世界初の超能力会話テレパシーを開発し自由自在に実現、他の超能力の開発実現する目的である。【解決手段】2003年(平成15年)10月世界初、超能力会話開発。超能力は最初、心と心を頭に送る見えない相手に人間同士が話す手段テレパシーを発見、世に広めた。明石市の家。揚羽蝶女紋は皇族で神様と崇められTV、故郷新潟地震で日本中、世界の首脳国に超能力が浸透した。4年後熱帯夜開発。色恋が流行り超能力の能力が急激に増え芸能界は特別派手で世界中喜ぶ。翻訳なし世界共通語。子供は9歳までに会得10歳は会話。宇宙は会話が届き宇宙人や動物は返事なし。サイコキネシス、念写、幽体離脱、腫瘍も治せれる念力。20年前の幽霊と会話。輪廻転生は可能性。世界国交回復(北朝鮮等)等務め、芸能界を疫病から救い世界中処方箋をまき５百人から千人助け超能力で八坂神社に神社仏閣建造を進められ阿倍首相に特許申込を教わる。世界初発祥の地に奉納したい。揚羽蝶は天皇一代目夫婦の紋だと天皇は話され時代の蝶は有名で世界の一流企業やスペシャリストと自由自在に話せる。【特許請求の範囲】
【請求項１】
２００３年（平成１５年）１０月。世界初、超能力会話開発。
人間は会った人間にしか会話ができなかったが超能力は会わなくても話せる能力。最初、超能力は心と心を頭に送る。口は動かさない能力。見えない相手でも人間同士が話せる手段を発見。明石市の標準子午線東経１３５度の天文科学館の横の家からです。私は関東（江戸城）から明治時代に神戸の山奥に移り住んだ左大臣の家系で代々揚羽蝶の女紋。皇族なので神様とあがめられＴＶ、故郷の新潟地震で日本中、世界の首脳国に超能力が浸透していった。天皇は一代目夫婦が揚羽蝶の家紋だと話されネットにも皇族と載っていたサラブレッドの揚羽蝶の血筋なので超能力が現在覚醒したと言われ時代の蝶として有名です。
４年後は熱帯夜時代を開発。色恋も流行り、そして急激に超能力の能力が増え、芸能界は特に派手で世界中喜ばれた。相手の体も動かせるサイコキネシスや空中に映像を映し出せる念写等、バリエーション豊かに表現力が増し、新しい世界に没頭費やしていった。
世界中翻訳がいらないので他国と共有、世界平和に務め、人類を救うのに役立てました。宇宙も会話が届きますが、ナサが一緒に調べて宇宙人の声が届かないのは地球上の動物が超能力がないのと同じ可能性がある。子供は９歳ぐらいはわかり、１０歳から会話できてます。人間の一番最初の会話の初めと一緒ですが今では自由自在に話せます。祖先の人類学や文学にも役立てられる。
科学では考えられない潜在意識を引き出し超常現象など、あらゆる超能力の可能性を秘めているので開発に取り組んでいます。
【請求項２】
病気など腫瘍が小さければ毎日願うと念力で治すこともできる。６年後芸能界に疫病が蔓延してたのを一年半後秋に気が付き処方箋をまき疫病を半分に減らし、世界中も５百人から千人助けたと言われています。
約２０年前までの亡くなった魂と会話できる。死亡してすぐも会話できますし、５年ほど会話続けていますし、心で覚えているという話。超能力で聞いた脳の権威の話は、超能力を使っても脳は動いていないという。死亡した人間の輪廻転生はないと思われたが、幽体離脱を体験、寝た姿で１ｍ上に浮き上がり自分の姿が見えたが２，３秒で心が体に戻りました。以上。２人の幽体離脱で体の交換の可能性も発見。
超能力で大勢救い八坂神社に神社仏閣の建造を進められ阿倍首相に特許申し込み教わった。超能力は永遠なので神社仏閣を世界初超能力発祥の土地に建て奉納するため。私は揚羽蝶の女紋ですが天皇皇族の紋だと天皇は話されています。
【発明の詳細な説明】
【技術分野】
【０００１】  ２００３年（平成１５年）１０月。世界初、超能力会話開発。他の超能力の実現に関する。
【背景技術】
【０００２】  超能力は非現実的だった。
【発明の概要】
【発明が解決しようとする課題】
【０００３】  以上、超能力は実際使えなかった。４６億光年、人間は会った人間しか会話できなかったので、世界初の超能力会話を開発し自由自在に会話、他の超能力の開発実現することを目的とする能力である。
【課題を解決するための手段】
【０００４】  上記目的を達成するために、最初、超能力は心と心を頭に送る。口は動かさない能力。見えない相手でも人間同士が話せる手段を発見。明石市の標準子午線東経１３５度の天文科学館の横の家からです。私は関東（江戸城）から明治時代に神戸の山奥に移り住んだ左大臣の家系で代々揚羽蝶の女紋。皇族なので神様とあがめられＴＶ、故郷の新潟地震で日本中、世界の首脳国に超能力が浸透していった。天皇は一代目夫婦が揚羽蝶の家紋だと話されネットにも皇族と載っていたサラブレッドの揚羽蝶の血筋なので超能力が現在覚醒したと言われ時代の蝶として有名です。
４年後は熱帯夜時代を開発。色恋も流行り、そして急激に超能力の能力が増え、芸能界は特に派手で世界中喜ばれた。相手の体も動かせるサイコキネシスや空中に映像を映し出せる念写、バリエーション豊かに表現力が増し、新しい世界に没頭費やしていった。
世界中翻訳がいらないので他国と共有、世界平和に務め、人類を救うのに役立てました。宇宙も会話が届きますが、ナサが一緒に調べて宇宙人の声が届かないのは地球上の動物は超能力がないのと同じ可能性がある。子供は９歳ぐらいはわかり、１０歳から会話できてます。人間の一番最初の会話の初めと一緒ですが今では自由自在に話せます。祖先の人類学や文学にも役立てられる超能力です。
科学では考えられない潜在意識を引き出し超常現象など、あらゆる超能力の可能性を秘めているので開発に取り組んでいます。【０００５】  病気など腫瘍が小さければ毎日願うと治すことができる念力。６年後芸能界に疫病が蔓延していたのを１年半後の秋気が付き処方箋を超能力でまき疫病を半分に減らし、世界中も５百人から千人助けたと言われています。
約２０年前までの亡くなった魂と会話できる。死亡してすぐも会話できますし、５年ほど会話続けていますし、心で覚えているという話。超能力で聞いた脳の権威の話は、超能力を使っても脳は動いていないという。死亡した人間の輪廻転生はないと思われたが、幽体離脱を体験、寝た姿で１ｍ上に浮き上がり自分の姿が見えたが２，３秒で心が体に戻りました。以上。２人の幽体離脱で体の交換の可能性も発見。
私は超能力で大勢救い八坂神社に神社仏閣の建造を進められ阿倍首相に特許申し込みを教わった。超能力は永遠なので奉納するため。私は揚羽蝶の女紋ですが天皇皇族の紋だと天皇は話されています。
【発明の効果】
【０００６】  超能力は非現実的でしたが、２００３年（平成１５年）１０月。世界初。超能力は会話も自由自在にできて翻訳もいらないので他国と共有できますし、宇宙も会話できるし、死亡した方と話せます。サイコキネシス、念写、念力、幽体離脱等、種類も増やせました。皇族の揚羽蝶が超能力を覚醒。開発して時代の蝶として有名です。これからも好感度の高い超能力を届けたいです。
【産業上の利用可能性】
【０００７】  神社仏閣を建て永遠に続く超能力を奉納したい。健康長寿。家内安全。八坂神社に声をかけて頂き阿倍首相に勧められました。
世界国交回復（北朝鮮の国交等）やあらゆる研究に役立っている。世界が安全に過ごせる商品開発など、一流企業やスペシャリストに役立てているのでこれからも期待したい。
【手続補正書】
【提出日】平成25年3月22日(2013.3.22)
【手続補正１】
【補正対象書類名】明細書
【補正対象項目名】０００１
【補正方法】変更
【補正の内容】
【０００１】
２００３年（平成１５年）１０月。世界初、超能力会話開発。テレパシー他の超能力の実現に関する。
【手続補正２】
【補正対象書類名】明細書
【補正対象項目名】０００６
【補正方法】変更
【補正の内容】
【０００６】
超能力は非現実的でしたが、２００３年（平成１５年）１０月。世界初。超能力は会話も自由自在にできて翻訳もいらないので他国と共有できますし、宇宙も会話できるし、死亡した方と話せます。テレパシーを始め、サイコキネシス、念写、念力、幽体離脱等、種類も増やせました。皇族の揚羽蝶が超能力を覚醒。開発して時代の蝶として有名です。これからも好感度の高い超能力を届けたいです。
【手続補正３】
【補正対象書類名】特許請求の範囲
【補正対象項目名】請求項１
【補正方法】変更
【補正の内容】
【請求項１】
２００３年（平成１５年）１０月。世界初、超能力会話テレパシー開発。
人間は会った人間にしか会話ができなかったが超能力は会わなくても話せる能力。最初、超能力は心と心を頭に送る口は動かさない能力。見えない相手でも人間同士が話せる手段テレパシーを発見。明石市の標準子午線東経１３５度の天文科学館の横の家からです。私は関東（江戸城）から明治時代に神戸の山奥に移り住んだ左大臣の家系で代々揚羽蝶の女紋。皇族なので神様とあがめられTV、故郷の新潟地震で日本中、世界の首脳国に超能力が浸透していった。天皇は一代目夫婦が揚羽蝶の家紋だと話されネットにも皇族と載っていたサラブレッドの揚羽蝶の血筋なので超能力が現在覚醒したと言われ時代の蝶として有名です。
４年後は熱帯夜時代を開発。色恋も流行り、そして急激に超能力の能力が増え、芸能界は特に派手で世界中喜ばれた。相手の体も動かせるサイコキネシスや空中に映像を映し出せる念写等、バリエーション豊かに表現力が増し、新しい世界に没頭費やしていった。
世界中翻訳がいらないので他国と共有、世界平和に務め、人類を救うのに役立てました。宇宙も会話が届きますが、ナサが一緒に調べて宇宙人の声が届かないのは地球上の動物が超能力がないのと同じ可能性がある。子供は９歳ぐらいはわかり、１０歳から会話できてます。人間の一番最初の会話の初めと一緒ですが今では自由自在に話せます。祖先の人類学や文学にも役立てられる。
科学では考えられない潜在意識を引き出し超常現象など、あらゆる超能力の可能性を秘めているので開発に取り組んでいます。
【手続補正書】
【提出日】平成26年5月26日(2014.5.26)
【手続補正１】
【補正対象書類名】明細書
【補正対象項目名】０００３
【補正方法】変更
【補正の内容】
【０００３】
以上、超能力は実際使えなかった。人間は会った人間と口頭でしか会話できなかったが、世界初の超能力会話テレパシーを開発し自由自在に実現、他の超能力の開発実現することを目的とする能力である。
【手続補正書】
【提出日】平成26年5月26日(2014.5.26)
【手続補正１】
【補正対象書類名】明細書
【補正対象項目名】０００４
【補正方法】変更
【補正の内容】
【０００４】
上記目的を達成するために、最初、超能力は心と心を頭に送る口は動かさない能力。見えない相手でも思うと人間同士が話せる手段テレパシーを発見。場所は兵庫県明石市の家からです。（私は中学３年生から３回テレパシーが聞こえたり話したりしましたが相手は自然に放出してるだけで分っておらず今度は見える訳がないＴＶの録画から放出しているのが聞こえ１週間考え１週間後に意志を持ってテレパシーをタレントに送りました。するとその時からＴＶに私の噂がテレパシーで広まっていくのがわかり義父から噂がテレパシーで目の前から頭に届いたので確実に誰でも使えるテレパシーの開発を成功させたと確信。それからＴＶと明石市からテレパシーは広まり始めました。あとからタレントに聞いても当時録画が勝手に話しているだけで全く関係がないと言っています。）私は関東（江戸城）から明治時代に神戸の山奥に移り住んだ左大臣の家系で揚羽蝶の女紋。皇族なので神様とあがめられＴＶ、故郷の新潟地震でどよめきがテレパシーで伝わりアメリカや諸外国や日本の一流企業にも広まり、世界中に超能力が浸透していった。天皇は一代目夫婦が揚羽蝶の家紋だと話されネットにも皇族と載っていたサラブレッドの揚羽蝶の血筋で２１世紀を代表する超能力が現在覚醒。
世界中翻訳がいらないテレパシーは世界各国、母国語で話せて相手が外国語でも言葉が自動的に翻訳して母国語で聞こえるので全員が母国語で話し、例えばアメリカ人に日本語で話しかけると相手は英語で聞こえ、逆にアメリカ人が日本人に英語で話しかけると日本人には日本語で聞こえ、世界共通語として他国と共有、私は首脳国の大統領と話ができ世界平和にたち北朝鮮との和平に役立て、その他大勢の世界の方たちと親睦を図ってきました。ソユーズのロケットと話をして、太陽系惑星では宇宙人を発見できなかった会話から世界中だけでなく宇宙も会話が届きますが、ナサが一緒に調べて宇宙人の声が届かないのは地球上の動物は超能力がないのと同じ可能性がある。子供は９歳ぐらいはわかり、１０歳から会話できてます。いとこが死亡して即、会話ができたり、１４年前死亡した祖母の声が聞こえ会話を続けた等、約２０年前までの亡くなった魂を呼び起こして会話が続き、死亡して即会話できますし、死亡した方と５年ほど会話を続けていましたが、死亡した方が心で覚えているという話。なので死亡した人間の輪廻転生はないのが立証でき、超能力の脳はテレパシーで動かないので脳の大きさの発達はテレパシーではなく体を動かす能力の発達で大きくなった。記憶は脳じゃなかった。死亡した方が会話を記憶しているのはテレパシーと脳の発達は関係なく心だけが人間が言葉を話した時から覚えていったので脳とは関係ございません。実際は集中力だけで心が覚えているので脳が何％しか使われていないと言うが体の身体能力をつかさどっているだけである。記憶力が衰えるというが嘘だったのを発見。会話は直接と同時に超能力の異次元オート設定がある。人間の一番最初の会話の初めと一緒ですが今では自由自在に話せます。祖先の人類学や文学にも役立てられるテレパシーです。
４年後は熱帯夜時代を開発。色恋も流行り、そして急激に超能力の能力が増え、芸能界は特に派手で世界中喜ばれた。相手の腕を動かすのに自分の腕を動かしながら念を入れると相手の体も同じように動かす事ができる、即、体のどの部位も動かす事でき念力だけでも動くサイコキネシスや相手に送りたい映像を念じて思い浮かべ空中に映像を映し出せる念写等、バリエーション豊かに表現力が増し、新しい世界に没頭費やしていった。６年後はにおいや香りを自分で吸いこみ相手の鼻に合わせて匂わせると送れるフレグランス。
病気など腫瘍が小さければ毎日願うと治すことができる念力。芸能界と話し込んでいると疫病が蔓延しているのに気が付き処方箋をテレパシーでＴＶ等から芸能界や世界にまき疫病を半分に減らし、世界中も５百人から千人助けたと言われています。私は超能力で大勢救い京都の八坂神社さんに神社仏閣の建造を進められ阿倍首相に特許申し込みを教わった。超能力は永遠なので奉納するため。日本として世界中超能力を開発した者として阿倍首相に認められほど有名です。
【手続補正書】
【提出日】平成26年5月26日(2014.5.26)
【手続補正１】
【補正対象書類名】明細書
【補正対象項目名】０００５
【補正方法】変更
【補正の内容】
【０００５】
病気など腫瘍が小さければ毎日願うと治すことができる念力。芸能界と話し込んでいると疫病が蔓延しているのに気が付き処方箋をテレパシーでＴＶ等から芸能界や世界にまき疫病を半分に減らし、世界中も５百人から千人助けたと言われています。私は超能力で大勢救い京都の八坂神社さんに神社仏閣の建造を進められ阿倍首相に特許申し込みを教わった。超能力は永遠なので奉納するため。日本として世界中超能力を開発した者として阿倍首相に認められほど有名です。